(57)【要約】      （修正有）【課題】膨大な量でばらつきがちなヘアゴムを、装飾部分の大小や形状に関係なく、ペアでもまとめて見やすく簡単に着脱できる、ヘアゴム収納具を提供する。【解決手段】どんなサイズにも対応でき、かつヘアゴムを挿入しやすいよう本体１は円錐や多角錐に準ずる錐状の形状とし、本体側面に凸部２と、それと連結するための凹部３を内面に設けることにより、ヘアゴムを挿入した本体をブロックのように重ねて縦のスペースを使いタワー型に収納する。ブロック状に連結して収納することで、特定のヘアゴムが取り出しやすくなる。【選択図】図３
0003185938.tif 000002
【実用新案登録請求の範囲】
【請求項１】
ヘアゴムをそのままもしくは複数重にして上部から滑り込ませやすいよう円錐や多角錐に準ずる錐状の形状としたことを特徴とするヘアゴム収納具。
【請求項２】
ひとつもしくは１ペアのヘアゴムを本体に挿入した状態で、同形状の本体を重ねていくことを前提とし、本体側面および内側に連結するための凸部および凹部を有する、ブロック状に重ねてタワー型にストックできることを特徴とした請求項１のヘアゴム収納具。
【考案の詳細な説明】
【技術分野】
【０００１】  本考案は、ヘアゴムの収納に特化した、タワー型の収納具に関する。
【背景技術】
【０００２】  ヘアゴムは所有数が膨大になりがちなアイテムであるわりに、ヘアゴムに特化した収納具はほとんどなく、カゴや引き出しに収納したり、仕切りがついたケースやウォールポケット、フックなどを利用したりしながら各々が工夫して収納している状態である。ヘアゴムに特化した収納具としては、吊り下げるタイプの物があるが、平面的スペースを必要とせずそれ自体で独立し、ブロックのように縦に積み重ねていくタワー型のヘアゴム収納具はない。
【考案の概要】
【考案が解決しようとする課題】
【０００３】  ヘアゴムは所有数が膨大であることが多く、カゴや引き出しにしまうだけではペアになっているヘアゴムがバラバラになったり、ヘアゴム同士が絡まったりなどして使用時に支障をきたす。仕切りがついたケースやウォールポケットに収納する場合は、ヘアゴムについている飾り部分の大きさがまばらなため、ひとつの仕切り内に収まりきらないことや、リボンなど装飾部分の形状が崩れてしまうことも懸念される。【０００４】  以上のように、従来の収納の形では、ペアの片方がすぐにみつからない、絡まる、装飾部分の形状や大きさによっては収納できない、平面的に収納スペースをとる、また、取り出しにくい、などが問題点としてあげられる。【０００５】  そこで本考案では、飾りの大きさに関係なく簡単にペアでまとめて収納でき、かつ容易に特定物が取り出せ、平面的なスペースをとらずにすっきり大量に収納できる、また、持ち運びも可能とするヘアゴム専用の収納具を提供することを課題とする。
【課題を解決するための手段】
【０００６】  以上の課題を解決するために本考案は、どんなサイズのヘアゴムでもそのままもしくは複数重にして挿入するのに最適な大きさである、ヘアゴムを上部から滑り込ませやすいよう円錐や多角錐に準ずる錐状の形状をとることとする。【０００７】  また本考案は、ひとつもしくは１ペアのヘアゴムを本体に挿入した状態で同形状の本体を重ねていくことを前提とするもので、本体側面に凸部または凹部、内面に凹部または凸部を有することによって連結し、ブロックのように重ねてタワー型にヘアゴムを収納できることを特徴とし、これにより上記課題を解決するものである。
【考案の効果】
【０００８】  これまでばらつきがちであったヘアゴムを専用に設計した本体に挿入することによって、ヘアゴムについた装飾部分の大小や形状に関わらず、また、ペアになっているものはひとまとめに整理しながら収納することができる。【０００９】  また、本体を積み重ねてヘアゴムを縦に収納することにより、平面的なスペースを要せず、かつ、ブロックのように連結する形状にしたことで、使いたい特定のヘアゴムを容易に取り出すことを可能とする。さらに、平面的な収納スペースをとらないため、好きなヘアゴムを挿入した本体を必要な分だけ連結すれば、長期旅行など持ち運びにも適した形態であるといえる。
【図面の簡単な説明】
【００１０】
【図１】この考案の一実施形態を示す正面図である。
【図２】この考案の一実施形態を示す斜視図である。
【図３】この考案の一実施形態を示す断面図である。
【図４】この考案の一実施形態を示す正面図である。
【図５】この考案の一実施形態の実用例である。
【図６】この考案の一実施形態の実用例である。
【図７】この考案の一実施形態の展開例である。
【考案を実施するための形態】
【００１１】  この考案の一実施形態を図１〜６に示す。
【００１２】  本体１はプラスチック製であることが望ましく、円錐に準ずる錐状の形状を特徴とする。円錐に準ずる錐状の形状であることにより、上部から本体下部へヘアゴムを滑り込ませやすく、また、その形状によってできるある程度のサイズの遊びにより、ヘアゴムのサイズの多様性にも対処できる。子どもが使うことも想定し、先端はなるべく丸みをおびていることが望ましい。
【００１３】  本体１は、高さ６センチ程度、底面の円は直径３．２センチ程度であることが、どのサイズのヘアゴムでもそのままもしくは複数重にして収納するのにベストな大きさである。
【００１４】  図３の断面図に示すように、本体１は、底辺より３センチほどの高さの側面に凸部２を有し、また、本体内側にはその凸部２と連結するための凹部３を有する。それにより、図４で示すように、ひとつもしくはペアのヘアゴムを挿入した本体１を、上にタワー状に積み重ねていくことができ、また本体１に挿入したヘアゴムが抜け出ないよう上から押さえる効果もある。
【００１５】  図５、６は実用例である。図５で示すように、ヘアゴムのサイズによっては複数重にしてひとつもしくは１ペアのヘアゴムを本体１へ挿入し、それを図６のように、別のヘアゴムが挿入してあるいくつかの別の本体１に連結していく。これにより、ヘアゴムのサイズ、装飾部分の大小や形状に関係なく、また平面的なスペースも要せず、ヘアゴムを整理しながら収納できる。
【００１６】  縦にスペースを使ってタワー状に収納しながらも、ひとつひとつがブロックのように連結しているため、取り出す際も、使いたい特定のヘアゴムが容易に取り出せることを本考案の最大の特徴とする。
また、コンパクトなため、お気に入りのヘアゴムを好きな分だけ重ねて旅先に持ち運べる手軽さをも可能とする形態である。
【００１７】  図７は展開例である。別パーツとして、本体１がはまる突出部４をもつ台座部分を作れば、ヘアゴムをタワー状に積み重ねて収納した本体を安定させ、立てて並べて収納することができるようになる。突出部４を持つこと以外、台座の形状は特には問わない。
【００１８】  本考案のタワー型ヘアゴム収納具によれば、省スペースですっきり整理しながらヘアゴムの着脱も容易であり、また収納でありながらもインテリアとしての要素も同時に期待できる。本体１のカラーをカラフルにしたり、装飾を施したり、展開例の台座の形を工夫したりすることにより、“かわいく収納できる”という付加価値を持った新しいタイプの収納アイテムともなりうる。
【００１９】  図１〜６に示す一実施形態では、本体側面の凸部２は半円球状の物であったが、他の実施形態ではその凸部２は、横に一周本体を走る溝でもよい。
【符号の説明】
【００２０】  １本体
２凸部
３凸部２と連結するための凹部
４積み重ねた本体を別パーツの台座部分に連結するための突出部
【図１】
0003185938.tif 000003
【図２】
0003185938.tif 000004
【図３】
0003185938.tif 000005
【図４】
0003185938.tif 000006
【図５】
0003185938.tif 000007
【図６】
0003185938.tif 000008
【図７】
0003185938.tif 000009